(57)【要約】      （修正有）【課題】カールアイロンを使って髪をカールする時、巻き方や方向によって毛束がカールアイロンからずれて行ってしまう。【解決手段】髪を挟むプレートの両側を波状の形にする事により、カールアイロンが最初に毛束を挟んだ位置から、どの角度でカールアイロンを回転させても、カールアイロンに対する、これから挟まるべき毛先の位置関係が変化しない。よって毛束に対してカールアイロンを垂直に回転させても斜めに回転させても、常に回転の角度と同じ角度で毛束がカールアイロンへと鋏まれて行く様になる。それにより、毛束のカールを作りたい位置で本考案のカールアイロンを挟み、その場で回転させるだけで、テクニックが未熟な人でも、毛先まできれいなカールスタイルが出来る。【選択図】図１
0003141439.tif 000002
【実用新案登録請求の範囲】
【請求項１】
カールアイロンの髪を挟むプレートの両側を波状の形にする事により、毛束を挟んでカールアイロンを回転させた時、毛束がカールアイロンに対して垂直方向にずれなくなるので、髪をカール状にセットした時に、毛先が流れてしまう  という状態が起こらない。尚且つ、波状のプレートが櫛の役割を果たして、毛束を整った形状で巻きつけることが出来る。全てのサイズやタイプのカールアイロンに適応出来る。
【考案の詳細な説明】
【技術分野】
【０００１】
本考案は従来からのカールアイロンに対し、テクニックが未熟な人でも、髪にきれいなカールを作る事が出来る、カールアイロン。
【背景技術】
【０００２】
従来のカールアイロンでは、毛束を挟んでカールアイロンを回転させた時、毛先がカールアイロンに対して垂直方向にずれ込んで行き、きれいなカールが得られない。
【考案の開示】
【考案が解決しようとする課題】
【０００３】
図２の様に従来のカールアイロンで、１の毛束を挟んで、２の方向にカールアイロンを回転させたとして、３の部分の毛先がこのような形状の場合、カールアイロンとプレートに挟みきった時。図４の4の様に、毛先が流れた状態で挟まれて、形作られてしまう。
【課題を解決するための手段】
【０００４】
本考案のカールアイロンは、髪を挟むプレートの両側を図１の様に波状の形にする事により以下の効果が得られる。
【０００５】
髪をカールさせたい時、常にカールアイロンに対して、毛束を垂直に巻き付けたいわけではないので、加熱部分と髪を挟むプレートには、あえて溝や凹凸等は付けず、プレートに挟まれた毛束がスムーズに入り込める様に、より滑らかな曲面が望ましい。
もちろんスチーム式においては、スチームの出る穴は、必要である。
【考案の効果】
【０００６】
図３において、カールアイロンが最初に５の溝の位置で毛束を挟んだ時、その後どの角度でカールアイロンを回転させても、波状の部分５が櫛の役割をして、カールアイロンに対する、これから挟まるべき毛先部分６が常に５の溝を通過してからプレート７に挟み込まれるようになる。
【０００７】
たとえば、図４の８の溝で毛束を最初に挟んで、９の方向へカールアイロンを回転させて、毛先まで完全にプレートに挟みきった時。プレートの中の毛先の形状は10の様な形になる。
同様に、１１の溝で毛束を最初に挟んで、12の様に垂直方向へカールアイロンを回転させて、毛先まで完全にプレートに挟みきった時。プレートの中の毛先の形状は1３の様にカールアイロンに対して垂直に巻き込まれる。
【０００８】
即ち、毛束に対してカールアイロンを垂直に回転させても斜めに回転させても、常に回転の角度と同じ角度で毛先がカールアイロンのプレートへと鋏まれて行くようになる。
よって、毛先部分が流れてしまう事が無く、思うようなカールスタイルが、従来の物よりも簡単に作れるようになる。
【０００９】
それだけではなく図１の様な波状のプレートの効果により、これから挟み込まれるべき毛先の状態が、癖毛、パーマ、寝癖、等により何らかの動きがあっても。別の櫛やブラシにより、あらかじめ毛束のもつれを取り、ひっかかりがなくなった状態で、本考案のカールアイロンを使用する事により、波状の形のプレートが櫛の役割をして、毛束が、とかしつけられた状態で、挟み込まれるようになる。
【００１０】
図5の様に、髪を挟むプレートの形状やデザインを変えても、同等の効果が得られる。
【００１１】
本考案は、全てのサイズやタイプのカールアイロンに適応出来る。
もちろん美容室でのパーマ用のカールアイロンとしても、適応する。
【００１２】
製造においても、現存するほとんどのカールアイロンに対しては、一つの部品の形状を変えるだけなので、非常に安価で製造出来る。
【図面の簡単な説明】
【００１３】
【図１】本考案のカールアイロンの先端部分
【図２】従来のカールアイロンの説明図
【図３】本考案の説明図
【図４】髪を挟むプレートの下の髪の状態
【図５】髪を挟むプレートの形状やデザインのバリエーション
【符号の説明】
【００１４】
１    毛束
２    カールアイロンの回転の方向
３    毛束の毛先部分
４    従来のプレートで挟まれた毛先部分の形状
５    波状の溝
６    毛束の毛先部分
７    毛束を挟むプレート
８    波状の溝
９    カールアイロンの回転の方向
１０  本案件のプレートで挟まれた毛先部分の形状
１１  波状の溝
１２  カールアイロンの回転の方向
１３  本案件のプレートで挟まれた毛先部分の形状
【図１】
0003141439.tif 000003
【図２】
0003141439.tif 000004
【図３】
0003141439.tif 000005
【図４】
0003141439.tif 000006
【図５】
0003141439.tif 000007
【手続補正書】
【提出日】平成20年2月21日(2008.2.21)
【手続補正１】
【補正対象書類名】実用新案登録請求の範囲
【補正対象項目名】全文
【補正方法】変更
【補正の内容】
【実用新案登録請求の範囲】
【請求項１】
髪を挟むプレートの両側を波状の形にすることによって、毛束を挟んでカールアイロンを回転させた時、毛束をカールアイロンに対して垂直方向にずれなくし、髪をカール状にセットする時に、毛先が流れてしまう状態を防ぎ、且つ、波状のプレートが櫛の役割を果たして、毛束を整った形状で巻きつけることができるカールアイロン。
【手続補正２】
【補正対象書類名】明細書
【補正対象項目名】全文
【補正方法】変更
【補正の内容】
【考案の詳細な説明】
【技術分野】
【０００１】
本考案は、電気、ガス等により加熱して、毛束を巻き付け、カールスタイルを作るために使用するカールアイロンに関するものである。
【背景技術】
【０００２】
カールアイロンを使用して、髪をカール状にセットする時、毛束を挟んでカールアイロンを回転させ、毛先まで巻き付けようとした時、毛束がカールアイロンに対して垂直方向にずれて行ってしまう。その上、これから挟み込まれて行く毛先に、くせ毛、パーマ、寝ぐせ、等の何らかの動きがある場合、毛先がその形状のまま挟み込まれ、形作られてしまう。
【考案の開示】
【考案が解決しようとする課題】
【０００３】
従来のカールアイロンを使用して、髪をカール状にセットする時、毛束を挟んでカールアイロンを回転させ、毛先まで巻き付けようとした時、毛束がカールアイロンに対して垂直方向にずれて行ってしまう。その上、これから挟み込まれて行く毛先に、くせ毛、パーマ、寝ぐせ、等の何らかの動きがある場合、毛先がその形状のまま挟み込まれ、形作られてしまう。よってカールアイロンを使って、髪をきれいなカールスタイルにするには、熟練した技術を要した。
【課題を解決するための手段】
【０００４】
カールアイロンの、髪を挟むプレートの両側を波状の形にすることによって、毛束を挟んでカールアイロンを回転させた時、毛束をカールアイロンに対して垂直方向にずれなくし、髪をカール状にセットする時に、毛先が流れてしまう状態を防ぎ、且つ、波状のプレートが櫛の役割を果たして、毛束を整った形状で巻きつけることができるようになる。
【考案の効果】
【０００５】
本考案のカールアイロンを使う事により、テクニックが未熟な人でも、毛束のカールを作りたい位置で、カールアイロンを挟み、その場で回転させるだけで、毛先まできれいなカールスタイルが作れるようになる。
【考案を実施するための最良の形態】
【０００６】
カールアイロンの、髪を挟むプレートの両側を波状の形にすることによって、毛束を挟んでカールアイロンを回転させた時、毛束をカールアイロンに対して垂直方向にずれなくし、髪をカール状にセットする時に、毛先が流れてしまう状態を防ぎ、且つ、波状のプレートが櫛の役割を果たして、毛束を整った形状で巻きつけることができる。
【実施例】
【０００７】
髪を挟むプレートの両側を図１の１と２の様に波状の形にする事により以下の効果が得られる。
【０００８】
図２において毛束３をプレート４で挟んでカールアイロンを５の方向へ回転させ、毛先まで巻き込もうとした時、６の波状の形の効果により、毛束３が最初に挟まれた位置７から垂直方向へずれなくなり、毛先が流れてしまうという状態が起こらない。
【０００９】
且つ、図２の６の波状の形が櫛の役割を果たして、これから挟み込まれて行く毛先に、くせ毛、パーマ、寝ぐせ、等の何らかの動きがあっても、毛先まで整った形状で巻きつけることができる。
【００１０】
図３は本考案のカールアイロンの先端部分の側面図を６図記載しておりますが、８  ９  １０  11  １２  １３  の様に髪を挟むプレートの形状やデザインを変えても同等の効果が得られる。
【産業上の利用可能性】
【００１１】
本考案のカールアイロンを使用する事により、テクニックが未熟な一般の人だけではなく、美容室にて、プロの美容師が使用しても、従来よりも簡単に、きれいなカールスタイルが作れる様になる。
【図面の簡単な説明】
【００１２】
【図１】本考案のカールアイロン先端部分の平面図
【図２】本考案のカールアイロンの説明図
【図３】髪を挟むプレートの形状やデザインのバリエーションの側面図
【符号の説明】
【００１３】
１    髪を挟むプレートの波状の形
２    髪を挟むプレートの波状の形
３    毛束
４    髪を挟むプレート
５    カールアイロンを回転させる方向
６    髪を挟むプレートの波状の形
７    毛束３が最初に挟まれた位置
８    波状の形を図１図２の物より、深く長くしたプレートの形
９    波状の形を図１図２の物より、直線的にしたプレートの形
１０  波状の形を９より、深く長くしたプレートの形
１１  波状の形を１０より、細かくしたプレートの形
１２  波状の形を図１図２の物より、細かくしたプレートの形
１３  波状の形９を少し歪ませたプレートの形
【手続補正３】
【補正対象書類名】図面
【補正対象項目名】全図
【補正方法】変更
【補正の内容】
【図１】
0003141439.tif 000008
【図２】
0003141439.tif 000009
【図３】
0003141439.tif 000010